(57)【要約】      （修正有）【課題】円筒状の刷毛を用いて塗料を塗布するために使用される塗布具において、塗布具自体に塗料の吐出機構を内蔵させ、コストを低減するとともに、重量を軽減し、使い勝手を向上した塗布具を提供する。【解決手段】塗布具１において、柄３の先端にＴ字状にヘッド４を設け、円筒状の刷毛２をヘッドと平行に支持するための支持体５をヘッドに設け、柄とヘッドに塗料を充填する中空部１５を形成するとともに、中空部に充填した塗料を刷毛の外周面に向けて吐出する吐出孔１６をヘッドに形成した。また、中空部１５に開閉弁８を設けるとともに、開閉弁の操作ハンドルを柄に設けた。【選択図】図２
0003221092.tif 000002
【実用新案登録請求の範囲】
【請求項１】
柄の先端にＴ字状にヘッドを設け、円筒状の刷毛をヘッドと平行に支持するための支持体をヘッドに設け、柄とヘッドに塗料を充填する中空部を形成するとともに、中空部に充填した塗料を刷毛の外周面に向けて吐出する吐出孔をヘッドに形成したことを特徴とする塗布具。
【請求項２】
前記中空部に開閉弁を設けるとともに、開閉弁の操作ハンドルを前記柄に設けたことを特徴とする請求項１に記載の塗布具。
【考案の詳細な説明】
【技術分野】
【０００１】
本考案は、円筒状の刷毛を用いて塗料を塗布するために用いられる塗布具に関するものである。
【背景技術】
【０００２】
従来より、広い範囲に効率よく塗料を塗布するために用いられる塗布具としては、円筒状の刷毛を回転自在に支持する支持体を柄の先端に設けた塗布具が使用されている。
【０００３】
また、円筒状の刷毛に塗料を付着させるために、塗料の吐出装置を塗布具に取付けた構成のものが考案されている（たとえば、特許文献１参照。）。
【先行技術文献】
【特許文献】
【０００４】
【特許文献１】特開平９−２９１６２号公報
【考案の概要】
【考案が解決しようとする課題】
【０００５】
ところが、上記従来の塗布具に別体で塗料の吐出装置を取付けた構成のものでは、塗布具のコストが増加するばかりでなく、塗布具の重量が増大してしまい、使い勝手が良好なものではなかった。
【課題を解決するための手段】
【０００６】
そこで、請求項１に係る本考案では、塗布具において、柄の先端にＴ字状にヘッドを設け、円筒状の刷毛をヘッドと平行に支持するための支持体をヘッドに設け、柄とヘッドに塗料を充填する中空部を形成するとともに、中空部に充填した塗料を刷毛の外周面に向けて吐出する吐出孔をヘッドに形成することにした。
【０００７】
また、請求項２に係る本考案では、前記請求項１に係る本考案において、前記中空部に開閉弁を設けるとともに、開閉弁の操作ハンドルを前記柄に設けることにした。
【考案の効果】
【０００８】
そして、本考案では、以下に記載する効果を奏する。
【０００９】
すなわち、本考案では、塗布具において、柄の先端にＴ字状にヘッドを設け、円筒状の刷毛をヘッドと平行に支持するための支持体をヘッドに設け、柄とヘッドに塗料を充填する中空部を形成するとともに、中空部に充填した塗料を刷毛の外周面に向けて吐出する吐出孔をヘッドに形成することにしているために、塗布具自体に塗料の吐出機構を内蔵させることができ、コストを低減することができるとともに、重量を軽減することができ、塗布具の使い勝手を向上させることができる。
【００１０】
特に、前記中空部に開閉弁を設けるとともに、開閉弁の操作ハンドルを前記柄に設けることにした場合には、柄を持ちながら操作ハンドルを併せて操作することができ、塗布具の使い勝手をより一層向上させることができる。
【図面の簡単な説明】
【００１１】
【図１】本考案に係る塗布具を示す左側面図（ａ）、正面図（ｂ）。
【図２】同正面断面図。
【考案を実施するための形態】
【００１２】
以下に、本考案に係る塗布具の具体的な構成について図面を参照しながら説明する。
【００１３】
図１及び図２に示すように、塗布具１は、着脱自在に設けた円筒状の刷毛２（ローラー）で塗料を塗布するために使用されるものである。
【００１４】
塗布具１は、上下に直線状に伸延する中空棒状の柄３の先端に、左右に直線状に伸延する中空棒状のヘッド４をＴ字状となるように取付け、ヘッド４の左側端部に、刷毛２をヘッド４と平行に回転自在に支持するＬ字状の棒体からなる支持体５を取付けている。
【００１５】
柄３には、上端から下端まで貫通する貫通孔６が形成されており、貫通孔６の上端部に連結具７（ニップル）が接続され、貫通孔６の中途部に開閉弁８が設けられ、貫通孔６の下端部にヘッド４が接続されている。
【００１６】
また、柄３には、上部にグリップ９が取付けられ、グリップ９に操作ハンドル10を下端を支点に把持操作（回動）可能に取付け、操作ハンドル10に開閉弁８を接続している。これにより、操作ハンドル10を操作することで、開閉弁８を開閉操作することができるようになっている。
【００１７】
ヘッド４は、ヘッド本体11とキャップ12とからなる。ヘッド本体11には、右端から左側中途部まで連なる連通孔13が形成されるとともに、中央上部に外側から連通孔13に連なる連結孔14が形成されている。ヘッド本体11は、右端において連通孔13をキャップ12で被覆（封止）している。また、ヘッド本体11は、中央上部に柄３を取付けて、連通孔13と柄３の貫通孔６とを連結孔14を介して連結している。これにより、柄３及びヘッド４には、貫通孔６と連結孔14と連通孔13で形成される中空部15が形成され、この中空部15の中途部に開閉弁８が設けられることになる。中空部15には、後述するように塗料が充填される。
【００１８】
このヘッド本体11には、下側に中空部15（連通孔13）と連通し、中空部15に充填した塗料を刷毛２の外周面に向けて吐出するための吐出孔16を複数個等間隔に並べて形成している。
【００１９】
支持体５は、上下に伸延する基端部をヘッド本体11に上下位置（ヘッド４と刷毛２との間隔）を調整可能にナット17,17で螺着し、基端部の下端に左右にヘッド４と平行に伸延する先端部を形成し、先端部に刷毛２を回転自在かつ着脱自在に装着できるようにしている。
【００２０】
塗布具１は、以上に説明したように構成されており、塗布作業を行う際には、塗料を所定の圧力で供給する塗料供給装置が連結具７に連結され、塗料供給装置から供給される塗料を中空部15に充填するとともに、ヘッド４の吐出孔16から刷毛２の外周面に塗料を吐出し、刷毛２の外周面に塗料を付着させる。
【００２１】
この塗布具１では、操作ハンドル10をグリップ９とともに把持することで開閉弁８が開弁状態となり、塗料供給装置の供給圧力で塗料がヘッド４の吐出孔16から刷毛２の外周面に向けて吐出され、一方、操作ハンドル10の把持を止めることで開閉弁８が閉弁状態となり、吐出孔16からの塗料の吐出が停止されるようになっている。
【００２２】
以上に説明したように、上記塗布具１は、柄３の先端にＴ字状にヘッド４を設け、円筒状の刷毛２をヘッド４と平行に支持するための支持体５をヘッド４に設け、柄３とヘッド４に塗料を充填する中空部15を形成するとともに、中空部15に充填した塗料を刷毛２の外周面に向けて吐出する吐出孔16をヘッド４に形成した構成となっている。
【００２３】
そのため、上記構成の塗布具１では、塗布具１自体に塗料の吐出機構を内蔵させることができ、コストを低減することができるとともに、重量を軽減することができ、塗布具１の使い勝手を向上させることができる。
【００２４】
また、上記塗布具１は、中空部15に開閉弁８を設けるとともに、開閉弁８の操作ハンドル10を柄３に設けた構成となっている。
【００２５】
そのため、上記構成の塗布具１では、柄３を持ちながら操作ハンドル10を併せて操作することができ、塗布具１の使い勝手をより一層向上させることができる。
【符号の説明】
【００２６】
１  塗布具                          ２  刷毛
３  柄                              ４  ヘッド
５  支持体                          ６  貫通孔
７  連結具                          ８  開閉弁
９  グリップ                        10  操作ハンドル
11  ヘッド本体                      12  キャップ
13  連通孔                          14  連結孔
15  中空部                          16  吐出孔
17  ナット
【図１】
0003221092.tif 000003
【図２】
0003221092.tif 000004